(57)【要約】【課題】  建物の上の階にエレベータで搬入したり、小型のトラックでも何台分でも搬送することが可能な景品獲得ゲーム機を提供する。【解決手段】  キャスター１０２が配される基礎フレーム２７と、筐体を構成する上面７、側面、正面、及び背面の各パネルを備え、各パネル３，４，５，６のうち少なくとも側面５，６、正面３、及び背面４の各パネル４，５，６が基礎フレーム２７から取り外し可能である。基礎フレーム２７は分解可能である。【選択図】  図２
2013094232.tif 000002
【特許請求の範囲】
【請求項１】
プレイヤーが正面側の操作スイッチを操作することで筐体内に配されたクレーン、アーム、又は棒状部材が移動し、その結果、景品が陳列棚から排出口に動かされた場合に前記景品が取得できる景品獲得ゲーム機において、
キャスターが配される基礎フレームと、筐体を構成する上面、側面、正面、及び背面の各パネルを備え、各パネルのうち少なくとも側面、正面、及び背面の各パネルが基礎フレームから取り外し可能に組み立てられていることを特徴とする景品獲得ゲーム機。
【請求項２】
前記キャスターが配される基礎フレームは、複数本のフレームに分解可能な四周枠フレームとして構成されていることを特徴とする請求項１記載の景品獲得ゲーム機。
【請求項３】
前記基礎フレームである四周枠フレームに、底面パネルが複数枚に分割して配されることを特徴とする請求項１又は２記載の景品獲得ゲーム機。
【請求項４】
プレイヤーが正面側の操作スイッチを操作することで筐体内に配されたクレーン、アーム、又は棒状部材が移動し、その結果、景品が陳列棚から排出口に動かされた場合に前記景品が取得できる景品獲得ゲーム機において、
筐体を構成する各パネルのうち少なくとも、側面、正面、及び背面の各パネルが基台から取り外し可能な構成とされていることを特徴とする景品獲得ゲーム機。
【請求項５】
前記基台が、少なくとも、基礎フレームと、当該基礎フレーム下に配置されたキャスターと、当該基礎フレーム上に配置された金庫と制御盤から構成され、これらキャスターと金庫と制御盤が前記基礎フレームから取り外し可能な構成とされていることを特徴とする請求項４記載の景品獲得ゲーム機。
【請求項６】
前記クレーン、アーム、又は棒状部材が配されている上側部と、前記操作スイッチが配されている操作パネルが、前記基礎フレーム又は基台から取り外し可能な構成とされていることを特徴とする請求項１ないし５のいずれか１項記載の景品獲得ゲーム機。
【請求項７】
複数のプレイヤーがプレイ可能な幅広の箱型となっており、前記正面、背面又は上面の各パネルが複数に分割されていることを特徴とする請求項１又は４記載の景品獲得ゲーム機。
【発明の詳細な説明】
【技術分野】
【０００１】
本発明は、景品獲得ゲーム機に関する。
【背景技術】
【０００２】
従来、プレイヤーが正面側の操作スイッチを操作することで筐体内に配されたクレーン、アーム、又は棒状部材が移動し、その結果、景品が陳列棚から排出口に動かされた場合に前記景品が取得できる景品獲得ゲーム機が知られている。
【０００３】
これら景品獲得ゲーム機は、ゲームセンターやボウリング場等の店舗や商業施設に配置されている。近年、ぬいぐるみや箱物等、景品の大型化に伴い、また、ボリューム感を出すために景品獲得ゲーム機の大型化が進んでいる。従来、景品獲得ゲーム機は、１人用が主流であったが、現在は２人用が主流となっており、３人用などの多人数がプレイできる機器も市場に出始めている。
【０００４】
２人用の景品獲得ゲーム機のサイズとしては、例えば、高さが約１９７ｃｍ、幅が約１６８ｃｍ、奥行きが約９７ｃｍあり、その重量が約２７０ｋｇあるため、嵩が大きな重量物である。そのため、倉庫費用や輸送コストが掛かってしまう。特に、建物の上の階に景品獲得ゲーム機を運搬しようとすると、エレベータの許容寸法や最大積載重量を超えてしまうことが多々有る。このような場合には、建物の階段を利用して持ち上げるか、レッカー車を手配して建物の窓の外から搬入することとなるが、いずれも大掛かりとなり、多人数が必要となる。
【０００５】
従来、第１の筐体形成部と第２の筐体形成部とから構成され、筐体全体の奥行きを調節するか、又は筐体の幅を調節可能な可変構造とする景品獲得ゲーム機が文献公知となっている。
【先行技術文献】
【特許文献】
【０００６】
【特許文献１】特開２００８−５４７９６号公報
【発明の概要】
【発明が解決しようとする課題】
【０００７】
しかしながら、特許文献１記載の景品獲得ゲーム機は、第１の筐体形成部と第２の筐体形成部とをスライドさせてサイズを可変とする構成であることから、第１の筐体形成部と第２の筐体形成部とが重なっている分だけ重量が重くなってしまう。
また、筐体の高さを小さくすることができないから、建物内に搬入する場合に、ドアや窓の一部を外したり、大型のトラックで搬送する場合でも、ゲーム機を数台分しか搬送できなかったり、エレベータによっては、乗せられない場合がある。
特に、キャスターが配される筐体の底面部は、所定の大きさの基台（コインを入れる金庫やクレーンなどの動きを制御する制御盤が搭載される。）を有する構成とされていることから、この筐体の底面部の大きさを変更することは困難であると考えられ、このため、景品獲得ゲーム機の大きさを小さくするには限界があると考えられていた。
【０００８】
そこで、本発明の目的は、ドアや窓の一部を外したりせずとも、建物の上の階にエレベータで搬入したり、小型のトラックでも何台分でも搬送することが可能な景品獲得ゲーム機を提供することにある。
【課題を解決するための手段】
【０００９】
本発明の景品獲得ゲーム機は、プレイヤーが正面側の操作スイッチを操作することで筐体内に配されたクレーン、アーム、又は棒状部材が移動し、その結果、景品が陳列棚から排出口に動かされた場合に前記景品が取得できる景品獲得ゲーム機において、キャスターが配される基礎フレームと、筐体を構成する上面、側面、正面、及び背面の各パネルを備え、各パネルのうち少なくとも側面、正面、及び背面の各パネルが基礎フレームから取り外し可能に組み立てられていることを特徴とする。
本発明によれば、筐体を構成するパネルのうち少なくとも側面、正面（正面）、及び背面のパネルが基礎フレームから取り外し可能な構成とされていることから、上面パネル、側面パネル、正面パネル、及び背面パネルを基礎フレームから取り外して建物内に搬入することで、搬入がし易くなり、上記パネルを基礎フレームから取り外して搬入することで１回あたりの搬入重量も軽くなる。ここで、基礎フレームにはキャスターが付設されるが、キャスターは着脱式であることが好ましい。また、上記各パネルが基礎フレームから取り外し可能な構成としては、ネジやボルト等によって固定される構成、嵌め合いによって固定される構成、外付けバンドを用いて締め付けて固定される構成等が挙げられる。
【００１０】
本発明としては、前記キャスターが配される基礎フレームは、複数本のフレームに分解可能な四周枠フレームとして構成されていることが好ましい。
本発明によれば、基礎フレームを、例えば４本の棒状フレームで四角形状にしたり、２本のＬ字状フレームで四角形状にしたりすることで、分割して小型にすることできる。
【００１１】
本発明としては、前記基礎フレームである四周枠フレームに、底面パネルが複数枚に分割して配されることが好ましい。
本発明によれば、底面パネルが四周枠フレームに複数枚に分割して配されることから、底面パネルを分割による小型にして搬入することができる。
【００１２】
また、本発明の景品獲得ゲーム機は、プレイヤーが正面側の操作スイッチを操作することで筐体内に配されたクレーン、アーム、又は棒状部材が移動し、その結果、景品が陳列棚から排出口に動かされた場合に前記景品が取得できる景品獲得ゲーム機に関し、筐体を構成するパネルのうち少なくとも上面、側面、正面、及び背面のパネルが基台から取り外し可能な構成とされていることを特徴とする。
本発明によれば、筐体を構成するパネルのうち少なくとも側面、正面（正面）、及び背面のパネルが基台から取り外し可能な構成とされていることから、上面パネル、側面パネル、正面パネル、及び背面パネルを基台から取り外して建物内に搬入することで、搬入がし易くなり、上記パネルを基台から取り外して搬入することで１回あたりの搬入重量も軽くなる。
ここで、基台とは、景品獲得ゲーム機本体の下側部分（基礎フレーム）を指しており、一般に、基台にはキャスターが付設される。また、上記パネルが基台から取り外し可能な構成としては、ネジやボルト等によって固定される構成、嵌め合いによって固定される構成、外付けバンドを用いて締め付けて固定される構成等が挙げられる。この基台としては、少なくとも、基礎フレームと、当該基礎フレーム下に配置されたキャスターと、当該基礎フレーム上に配置された金庫と制御盤から構成され、これらキャスターと金庫と制御盤が前記基礎フレームから取り外し可能な構成とされていることが好ましい。
【００１３】
本発明としては、複数のプレイヤーがプレイ可能な幅広の箱型となっており、前記正面、背面又は上面の各パネルが複数に分割されていることが好ましい。
本発明によれば、搬送が容易でありながら、組み立て後はボリューム感のある景品獲得ゲーム機となるが、前記正面、及び背面の各パネルが複数に分割されていることから、小型に分解可能である。
【００１４】
本発明としては、前記クレーン、アーム、又は棒状部材が配されている上側部と、前記操作スイッチが配されている操作パネルが、前記基礎フレーム又は基台から取り外し可能な構成とされていることが好ましい。
本発明によれば、前記クレーン、アーム、又は棒状部材が配されている上側部が前記基台から取り外し可能な構成であることから、高さを低くすることが容易となるので、エレベータを利用した搬入がし易くなり、分割して搬入することで１回あたりの搬入重量も軽くなる。また、前記操作スイッチが配されている操作パネルが前記基台から取り外し可能な構成であることから、奥行きを小さくすることが容易となるので、ドアからの搬入がし易くなる。
【００１５】
本発明は、前記基台が、少なくとも、基礎フレームと、当該基礎フレーム下に配置されたキャスターと、当該基礎フレーム上に配置された金庫と制御盤から構成され、これらキャスターと金庫と制御盤が前記基礎フレームから取り外し可能な構成とされていることを特徴とする。
【００１６】
本発明によれば、前記金庫と制御盤が前記基礎フレームから取り外し可能な構成であることから、貴重品が含まれている前記金庫と機密データやプログラム等の重要情報が含まれている前記制御盤とを前記筐体から分離・独立して搬入することが容易となる。また、前記キャスターを前記基礎フレームから取り外すことで、前記基台を構成する構成部材を極力小さくかつ薄くすることが出来、ダンボールや木枠梱包等の一般的な梱包形態で工場から輸送し、ゲームセンターやボウリング場等の建物内に運び込んで、現地で組立てすることが容易となる。
【発明の効果】
【００１７】
本発明の景品獲得ゲーム機は、製造工場にて製造され、ゲームセンター、温浴場、ショッピングモール等の商業施設に輸送、搬入、設置される。輸送の際には分割して輸送することで一度に輸送できる台数を増やすことが容易となる。搬入の際には分割して搬入することで、１回あたりの搬入重量が軽くなり、高さ、幅、奥行きを小さくすることでエレベータやドアを利用した搬入がし易くなる。そして、搬送が容易でありながら、ボリューム感のある景品獲得ゲーム機となる。本発明によれば、例えば、他国や他企業で生産された製品の主要部品を輸入して、現地で組立するノックダウン生産方式を実施することが容易となる。
【図面の簡単な説明】
【００１８】
【図１】本発明を適用した第１の実施形態の景品獲得ゲーム機を示す斜視図である。
【図２】上記第１の実施形態の景品獲得ゲーム機の要部展開図である。
【図３】上記第１の実施形態の基礎フレームの構成を示す斜視図である。
【図４】上記第１の実施形態の上面パネルの構成を示す斜視図である。
【図５】上記第１の実施形態の景品獲得ゲーム機を搬入する際の要部展開図である。
【図６】上記第１の実施形態の景品獲得ゲーム機を輸送する際の図である。
【図７】本発明を適用した第２の実施形態の景品獲得ゲーム機を示す斜視図である。
【図８】上記景品獲得ゲーム機を搬入する際の要部展開図である。
【図９】上記景品獲得ゲーム機を輸送する際の図である。
【図１０】上記景品獲得ゲーム機の他の例の要部展開図である。
【図１１】本発明を適用した第３の実施形態の景品獲得ゲーム機を示す斜視図である。
【図１２】上記景品獲得ゲーム機の要部展開図である。
【発明を実施するための形態】
【００１９】
（第１の実施形態）
図１は、本発明を適用した第１の実施形態の景品獲得ゲーム機１を示す斜視図である。図１に示す例は、いわゆるクレーン式ゲーム機であり、プレイヤーがコインを投入し正面側の操作スイッチを操作することで筐体内に配されたクレーンＫが移動し、景品をキャッチするなどして、その結果、景品が陳列棚から排出口２１ａに動かされた場合に前記景品が取得できる景品獲得ゲーム機である。図１に示すクレーンゲーム機１は、左側と右側とにそれぞれ仕分けられた景品をそれぞれのクレーンＫでキャッチする２人用ゲーム機である。クレーンゲーム機１にはキャスター１０２が備わっており、押すか引いて移動させることが容易な構成となっている。景品獲得ゲーム機１の正面側下方（基礎フレーム２７）には投入されたコインを蓄える金庫２５が配置されている。また、図示しないが、景品獲得ゲーム機１の背面側下方には、投入されたコインに応じてクレーン機構や操作スイッチ等を制御する制御盤が配置されている。
【００２０】
図２は、本実施形態の景品獲得ゲーム機１の要部展開図である。本実施形態では、操作スイッチが配されている操作パネル２３が正面パネル３から取り外し可能な構成となっており、操作パネル２３の凸部が正面パネル３の凹部に嵌め込まれて、ネジ１０９が正面パネル３の側面に形成された穴１０６に挿入されネジ固定される。
【００２１】
図２に示す上面パネル７、左側面パネル５、右側面パネル６、正面パネル３、及び背面パネル４は、四方に配されたＬ字状金具８によって押さえられて、ネジ１０９がＬ字状金具８に形成された穴１０８と、上記パネル３，５，６，７に形成された穴１０７と、基台２１，２２に形成された穴１０６に挿入されネジ固定される。左側面パネル５、右側面パネル６、正面パネル３、及び背面パネル４は、金属製の板にガラス製やアクリル製の窓が取付けられている。上面パネル７は金属製で蓋形状となっているが、材質等は問わない。なお、符号Ｒは、前面側の化粧盤（フロント盤）である。
【００２２】
図２に示す基礎フレーム（基台）２７は、上下一対の棒状のフレーム２７Ａ，２７Ｃと上下一対のフレーム２７Ｂ，２７Ｄとにより、四周枠フレームとして組み立てられている。そして、２枚の底面パネル２７α，２７βが敷設されている。ここで、基礎フレーム２７は、Ｌ字状に構成されるフレーム２７Ａ，２７Ｂと同じくＬ字状のフレーム２７Ｃ，２７Ｄとにより、四周枠フレームとして組み立てられているものでも良い。また、底面パネル２７α，２７βは更に分割されるものでも良い。右側面パネル６、正面パネル３、及び背面パネル４は、上記構成の基礎フレーム（基台）２７の段差部を利用して垂設されたり、又、底面パネル２７α，２７βに設けられる固定部２７ｔに位置きめされるなどして垂設される。
【００２３】
図２に示す天板部７は、上下一対の棒状のフレーム７Ａ，７Ｃと上下一対のフレーム７Ｂ，７Ｄとにより、四周枠フレームとして組み立てられている。そして、２枚の底面パネル７α，７βが敷設されている。ここで、天板部７は、Ｌ字状に構成されるフレーム２７Ａ，２７Ｂと同じくＬ字状のフレーム２７ＢＣ，２７Ｄと、底面パネル２７α，２７βは更に分割されるものでも良い。なお、底面パネル２７α，２７βは、一枚で構成されるものでも良い。また、天板部７も一枚の底面パネルであっても良い。
【００２４】
図３は、本実施形態の景品獲得ゲーム機１を搬入する際の要部展開図である。前記基台２１は、少なくとも、四角枠状の基礎フレーム２７と、当該基礎フレーム２７下に配置されたキャスター１０２と、当該基礎フレーム２７上に配置された金庫２５と制御盤２６から構成されており、キャスター１０２、金庫２５、制御盤２６、及びその他構成部材（パネルや枠体）を、基礎フレーム２７から取り外し可能となっている。本実施形態によれば、貴重品が含まれている金庫２５と機密データやプログラム等の重要情報が含まれている制御盤２６とを筐体２を構成する基台２１から分離・独立して搬入することが容易となる。
【００２５】
また、図２、図３に示すように、基礎フレーム２７から各パネル３，４，５，６を分解することが可能な構成となっている。各パネル３，４，５，６等は、中央分割ラインＨ，Ｈ１〜Ｈ６から分割した構成にすることができる。なお、分割した構成を連結させるためには、各パネル３，４，５，６等を連結するためのＬ字状金具８に、レール構造を採用しても良い。本実施形態によれば、筐体２を構成する構成部材８各パネル３，４，５，６等を極力小さくかつ薄くすることが出来る。よって、図６に示すように、ダンボールや木枠梱包等の一般的な梱包３００とした形態で工場から小型トラック等で輸送し、ゲームセンターやボウリング場等の建物内に運び込んで、現地（建物内）で組立てすることが容易となる。
【００２６】
ここで、正面パネル３、背面パネル４、左右の側面パネル５，６等も、前記底面パネル２７α，２７βや天板部７と同じように、更に分割したものにすることが可能である。符号Ｈ１〜Ｈ６は、１／２にする場合の中央ラインであるが、更に分割した構成にすることも可能である。なお、操作パネル２３や前面側の化粧盤（フロント盤）Ｒ等も分割することが可能である。
【００２７】
（第２の実施形態）
【００２８】
図７は、本実施形態の景品獲得ゲーム機１１の要部展開図である。本実施形態では、操作スイッチが配されている操作パネル２３が基台２１から取り外し可能な構成となっており、操作パネル２３の凸部２３１が基台２１の凹部２１１に嵌め込まれて、ネジ１０９が基台２１の側面に形成された穴１０６に挿入されネジ固定される。
【００２９】
図７に示す上面パネル（天板部）７、左側面パネル５、右側面パネル６、正面パネル３、及び背面パネル４は、四方に配されたＬ字状金具８によって押さえられて、ネジ１０９がＬ字状金具８に形成された穴１０８と、上記パネル７，５，６，３に形成された穴１０７と、基台２１，２２に形成された穴１０６に挿入されネジ固定される。左側面パネル５、右側面パネル６、正面パネル３、及び背面パネル４は、金属製の板にガラス製やアクリル製の窓が取付けられている。上面パネル７は金属製で蓋形状となっているが、図３（ａ）に示すように、分割可能な枠体７Ａ，７Ｂ，７Ｃ，７Ｄと、複数枚の天板（上面パネル）７α，７βで構成されるものでも良い。
【００３０】
基台２１，２２は、その上に商品が陳列されたり、金庫２５や制御盤２６が内蔵されるもので、上下に分割可能な構成となっている。つまり、クレーン機構Ｋが配されている上側部２２が、下側部２１の上に載置されてボルトやネジ等の固定手段で固定されている。本実施形態によれば、景品獲得ゲーム機１の高さを１／２以下にすることができ、それぞれ分けて搬入することで搬入重量を１／２以下にすることができる。
【００３１】
図８は、本実施形態の景品獲得ゲーム機１を搬入する際の要部展開図である。前記基台２１は、少なくとも、四角枠状の基礎フレーム２７と、当該基礎フレーム２７下に配置されたキャスター１０２と、当該基礎フレーム２７上に配置された金庫２５と制御盤２６から構成されており、キャスター１０２、金庫２５、制御盤２６、及びその他構成部材（パネルや枠体）を、基礎フレーム２７から取り外し可能となっている。本実施形態によれば、貴重品が含まれている金庫２５と機密データやプログラム等の重要情報が含まれている制御盤２６とを筐体２を構成する基台２１から分離・独立して搬入することが容易となる。
【００３２】
また、図８に示すように、クレーン機構が配されている上側部２２が、クレーン機構Ｋと、枠体（Ｌ型金具）８と、各種パネル３，４，５，６，７とに分解することが可能な構成となっている。本実施形態によれば、筐体２を構成する構成部材を極力小さくかつ薄くすることが出来る。よって、図９に示すように、ダンボールや木枠梱包等の一般的な梱包３００とした形態で工場から輸送し、ゲームセンターやボウリング場等の建物内に運び込んで、現地で組立てすることが容易となる。
【００３３】
図１０は、上記景品獲得ゲーム機１１の他の例の要部展開図である。ここで、同一の符号は同じ機能を表しており、その説明を省略する。図１０に示す基台２１，２２は、クレーン機構が配されている上側部２２の支柱２２１の下側に形成された凸部２２２が、下側部２１の上面に形成された凹部２１２に嵌め込まれて、ネジ１０９が基台２１の側面に形成された穴１０６に挿入されネジ固定されている。図１０に示す例では、比較的大きくて、かつ、組立てが容易な外装パネル３−７と、Ｌ字状金具８とを筐体２から取り外し、クレーン機構が配されている上側部２２を下側部２１と分離させて、本体の高さ、幅、奥行きを小さくすることでエレベータを利用した搬入がし易く、かつ、組立てもスピーディに出来る構成例となっている。
【００３４】
（第３の実施形態）
図１１は、本発明を適用した第２の実施形態の景品獲得ゲーム機１２を示す斜視図である。図１１に示す例は、いわゆるプッシャー式ゲーム機であり、プレイヤーが正面側の操作スイッチを操作することで筐体内に配されたプッシャー（押し棒）が移動し、景品との間の仕切り壁に形成された窓（図１１では横長楕円形の窓）を通過すると、その結果、景品が陳列棚から排出口２１ａに動かされた場合に前記景品が取得できる景品獲得ゲーム機である。図１１に示すプッシャーゲーム機１２は、左側と右側とにそれぞれ仕分けられた景品をそれぞれのプッシャーで押し出す２人用ゲーム機である。プッシャーゲーム機１２にはキャスター１０２とストッパーＳが備わっており、キャスター１０２を介して押すか引いて移動させることが可能となっている。ここで、同一の符号は同じ機能を指しており、その説明を適宜省略する。
【００３５】
図１２は、本実施形態の景品獲得ゲーム機１の要部展開図である。本実施形態では、操作スイッチ２３ａが配されている操作パネル２３が基台２１から取り外し可能な構成となっており、操作パネル２３の凸部２３１が基台２１の凹部２１１に嵌め込まれて、ネジ１０９が基台２１の側面に形成された穴１０６に挿入されネジ固定される。前記操作パネル２３の正面側下方には金庫（お金を入れる金庫、或いはゲーム用のコインを入れる金庫）２５が取り付けられており、操作パネル２３の背面側下方には、投入されたコインに応じてクレーン機構Ｋや操作スイッチ２３ａ等を制御する制御盤２６が配置されている。
【００３６】
図１２に示す左側面パネル５と右側面パネル６とは基台２１に嵌めこまれ、正面パネル３と背面パネル４とで押さえられて、ネジ１０９がパネル３，４に形成された穴１０７と、基台２１に形成された穴１０６に挿入されネジ固定され、上面パネル７が上から嵌め込まれる構成となっている。図１２に示す例では、筐体２の前後の厚みを薄くしつつ、組立てする構成部材を、操作パネル２３と、外側パネル３〜７とに限定することで、建物内のドアを利用した搬入がし易く、かつ、組立てもスピーディに出来る構成例となっている。
【００３７】
以上、本発明は、上述した実施の形態に限定されるものではない。例えば、操作パネル２３と基台２１とは分離しない構成とする場合もある。また例えば、クレーン等が配されている上側部２２が上面パネル７と一体的に取り外しされる構成とする場合もある。このように、本発明は、その趣旨を逸脱しない範囲で適宜変更が可能であることは言うまでもない。
【符号の説明】
【００３８】
１                景品獲得ゲーム機、
２１              基台（基礎フレーム）、２１ａ  排出口、
３                正面パネル、
４                背面パネル、
５                左側面パネル、
６                右側面パネル、
７                上面パネル（天板部）、７α，７β  複数枚の上面パネル、
２３              操作パネル、２３ａ  操作スイッチ、
２５              金庫（コインボックス）、
２６              制御盤、
２７              基礎フレーム、２７α，２７β  複数枚の底面パネル、
１０２            キャスター、
Ｋ                クレーン（クレーン機構）、
Ｈ，Ｈ１〜Ｈ５    中央分割ライン
Ｓ  ストッパー
【図１】
2013094232.tif 000003
【図２】
2013094232.tif 000004
【図３】
2013094232.tif 000005
【図４】
2013094232.tif 000006
【図５】
2013094232.tif 000007
【図６】
2013094232.tif 000008
【図７】
2013094232.tif 000009
【図８】
2013094232.tif 000010
【図９】
2013094232.tif 000011
【図１０】
2013094232.tif 000012
【図１１】
2013094232.tif 000013
【図１２】
2013094232.tif 000014